【手続補正書】
【提出日】平成20年11月17日(2008.11.17)
【手続補正１】
【補正対象書類名】特許請求の範囲
【補正対象項目名】全文
【補正方法】変更
【補正の内容】
【特許請求の範囲】
【請求項１】
流体試料を収容し、分析するための流体分析装置であって、前記流体分析装置が、
互いに流体連通する第１及び第２の別個の部分を有するセル本体組立体であって、前記第１及び第２の部分がそれぞれの第１及び第２の端部を有し、前記第１及び第２の部分のそれぞれの第１の端部が互いに間隔を置いて向き合った関係で配置され、
前記第１の部分が、流体試料入口ボア、第１流体試料出口ボア、及び放射エネルギー入口ボアを備え、前記第２の部分が、前記第１の部分の前記放射エネルギー入口ボアと軸線方向に位置合わせされた流体試料分析室と、前記第１の流体試料出口ボアと位置合わせされた第２の流体試料出口ボアを備えるセル本体組立体と、
前記第１及び第２の部分の前記第１の端部の間に挿入された第１の弾性的なガスケットであって、前記第１の弾性的なガスケットが、前記第１の部分の前記放射エネルギー入口ボア及び前記第２の部分の前記流体試料分析室と位置合わせされた第１の放射エネルギー孔と、前記第１及び第２の部分のそれぞれの前記第１及び第２の流体試料出口ボアと位置合わせされた第２の流体試料出口孔と、前記第１の放射エネルギー孔に対して前記第１の部分の前記流体試料入口ボアと軸線方向に位置合わせされた前記第１の弾性的なガスケットの流体試料入口部分から延在する流体試料移動溝とを有する第１の弾性的なガスケットとを備える流体分析装置。
【請求項２】
前記セル本体組立体の前記第１及び第２の部分が互いに軸線方向に位置合わせされている、請求項１に記載の流体分析装置。
【請求項３】
前記第１の部分の前記放射エネルギー入口ボア内に配置された第１の放射エネルギー伝達部材をさらに備える、請求項１に記載の流体分析装置。
【請求項４】
前記流体試料分析室が、その前記第１の端部から前記第２の端部に前記第２の部分を通って軸線方向に延在する開放ボア、及びその前記ボア内にその中心軸線の周りに径方向に配置された放射エネルギー案内部材を備える、請求項１に記載の流体分析装置。
【請求項５】
前記放射エネルギー案内部材が、前記流体試料の屈折率よりも小さい屈折率を有する、請求項４に記載の流体分析装置。
【請求項６】
前記第２の部分の前記第２の端部から前記第１の部分の前記第２の端部に、前記第２の流体試料出口ボア及び前記第１の流体試料出口ボアを通って延在する、一体型の流体試料出口チューブをさらに備える、請求項１に記載の流体分析装置。
【請求項７】
前記第２の部分の前記第２の端部に隣接して配置された第３の部分をさらに備え、前記第３の部分が、その間に挿入された第２の弾性的なガスケットによって前記第２の部分の前記第２の端部から間隔を置いて配置された、請求項１に記載の流体分析装置。
【請求項８】
前記第２の弾性的なガスケットが、前記流体試料分析室と位置合わせされた第１の放射エネルギー孔と、前記第２の部分の前記第２の流体試料出口ボアと位置合わせされた第２の流体試料出口孔とを備え、前記流体試料分析室を出ていく前記流体試料が、前記第２の弾性的なガスケットの前記第２の流体試料出口孔、及び前記流体試料出口チューブを通って、前記セル組立体から外に流される、請求項７に記載の流体分析装置。
【請求項９】
前記第３の部分が、前記流体試料分析室と位置合わせされた放射エネルギー出口ボア、及び前記第３の部分の前記放射エネルギー出口ボアに配置された第２の放射エネルギー伝達部材を備える、請求項７に記載の流体分析装置。
【請求項１０】
前記流体試料移動溝が、前記第１の弾性的なガスケットの厚さ寸法の一部分にわたってのみ延在している、請求項１に記載の流体分析装置。
【請求項１１】
前記第２の流体試料出口孔の直径が少なくとも約０．２５４ｍｍ（約０．０１０インチ）である、請求項１に記載の流体分析装置。
【請求項１２】
流体試料を収容し、分析するための流体分析装置であって、前記流体分析装置が、
互いに流体連通する第１及び第２の別個の部分を有し、前記第１及び第２の部分がそれぞれの第１及び第２の端部を有し、前記第１及び第２の部分のそれぞれの第１の端部が互いに隣接して向き合った関係で配置され、前記第１及び第２の部分が第１の金属材料から製造されたセル本体組立体と、
液圧的な密封をその間にもたらす目的で、前記第１及び第２の部分の間に挿入された第１の順応性を有するガスケットであって、前記第１の順応性を有するガスケットがＫａｐｔｏｎ（登録商標）又は被覆された金属基材から選択され、そのような被覆された金属基材がＰＴＦＥ及びフッ化ウレタンからなる群から選択された被覆材料を有する第１の順応性を有するガスケットとを備える流体分析装置。
【請求項１３】
前記セル本体組立体の周りに少なくとも部分的に配置され、前記第２の部分の前記第２の端部に隣接し、且つそれと向き合った関係で配置されたベース部分を有する外側ハウジングを備える、請求項１２に記載の流体分析装置。
【請求項１４】
液圧的な密封をその間にもたらす目的で、前記第２の部分と前記ベース部分の間に挿入された第２の順応性を有するガスケットを備える、請求項１３に記載の流体分析装置。
【請求項１５】
前記第２の順応性を有するガスケットがＫａｐｔｏｎ（登録商標）又は被覆された金属基材から選択され、そうした被覆された金属基材がＰＴＦＥ及びフッ化ウレタンからなる群から選択される被覆材料を有する、請求項１４に記載の流体分析装置。
【請求項１６】
流体の分析中にそうした流体を収容するためにその中に配置された室を有するセル本体であって、前記室が第１の端部、第２の端部、及びその間に延在する中心軸線を有するセル本体と、
前記室の前記第１の端部に隣接して配置された第１の固定構造であって、前記第１の固定構造が、放射エネルギー案内部材を前記室内に動作可能且つ静止して固定し、前記放射エネルギー案内部材と前記第１の固定構造との間の相対運動に対する摩擦抵抗のみによって前記中心軸線の周りに径方向に配置されるように特に構成された第１の固定構造とを備える流体分析装置。
【請求項１７】
流体分析セル本体内に放射エネルギー案内部材を堅固に実装する方法であって、前記実装方法が、
（ａ）前記セル本体にそこを通って延在する開放室を設ける工程であって、前記開放室が第１の開放端部、第２の開放端部、及びその間に延在する中心軸線を有する工程と、
（ｂ）前記開放室の第１の直径寸法よりもわずかに大きい、応力を加えられていない外径、及び前記放射エネルギー案内部材の外径に実質的に等しいが、それよりもわずかに大きい内径を有するチューブの形の圧縮スリーブ部材を提供する工程と、
（ｃ）前記放射エネルギー案内部材を前記圧縮スリーブ部材によって画定されるチャネルに挿入する工程と、
（ｄ）前記圧縮スリーブ部材と前記放射エネルギー案内部材の組合せを前記開放室に引き込む工程であって、そのように引き込むことによって、前記放射エネルギー案内部材の周りで前記圧縮スリーブ部材が細長くなり、且つ細くなり、それによって前記圧縮スリーブ部材及び前記放射エネルギー案内部材が互いに摩擦的に係合し、固定する工程と、
（ｅ）前記圧縮スリーブ部材と前記放射エネルギー案内部材の前記組合せが、前記開放室内で弛緩し、延伸できるようにする工程であって、そのような延伸によって、前記圧縮スリーブ部材が前記セル本体に摩擦的に係合し、固定する工程とを含む方法。
【請求項１８】
流体試料を収容し、分析するための流体分析装置であって、前記流体分析装置が、
互いに流体連通する第１及び第２の別個の部分を有し、前記第１及び第２の部分が、それぞれの第１及び第２の端部を有し、前記第１及び第２の部分のそれぞれの第１の端部が互いに向き合った関係で配置され、前記第１及び第２の部分がさらに互いに軸線方向に位置合わせされている、セル本体組立体と、
第１のベース部分及びそこから延在する実質的に円筒形の側壁を有する外側ハウジングであって、前記側壁が少なくとも部分的に前記セル本体組立体を同心状に囲み、前記側壁の内径が前記セル本体組立体の外周に摩擦的に係合するように特に寸法を決められた外側ハウジングとを備える流体分析装置。
【請求項１９】
流体試料を収容し、分析するための流体分析装置であって、前記流体分析装置が、
互いに流体連通する第１、第２、及び第３の別個の部分を有し、前記第１の部分の第１の端部が、前記第２の部分の第１の端部と向き合った関係で間隔を置いて配置されたセル本体組立体であって、
前記第３の部分の第１の端部が前記第２の部分の第２の端部と間隔を置いて向き合った関係にあり、前記第１の部分が流体試料入口ボア及び放射エネルギー入口ボアを備え、前記第２の部分が前記第１の部分の前記放射エネルギー入口ボアと軸線方向に位置合わせされた流体試料分析室を備え、前記第３の部分が前記第２の部分の前記流体試料分析室及び流体試料出口ボアと軸線方向に位置合わせされた放射エネルギー出口ボアを備えるセル本体組立体と、
前記第１及び第２の部分の前記第１の端部の間に挿入された第１の弾性的なガスケットであって、前記第１の弾性的なガスケットが、前記第１の部分の前記放射エネルギー入口ボア及び前記第２の部分の前記流体試料分析室と位置合わせされた第１の放射エネルギー孔と、前記第１の放射エネルギー孔に対して前記第１の部分の前記流体試料入口ボアと位置合わせされた前記弾性的なガスケットの流体試料入口部分から延在する流体試料移動溝とを備える第１の弾性的なガスケットと、
前記第３の部分の前記第１の端部及び第２の部分の第２の端部の間に挿入された第２の弾性的なガスケットであって、前記第２の弾性的なガスケットが、前記第３の部分の前記放射エネルギー出口ボア及び前記第２の部分の前記流体試料分析室と位置合わせされた第１の放射エネルギー孔と、前記第１の放射エネルギー孔に対して前記第３の部分の前記流体試料出口ボアと位置合わせされた前記第２の弾性的なガスケットの流体試料出口部分から延在する流体試料移動溝とを備える第２の弾性的なガスケットとを備える流体分析装置。
【請求項２０】
流体試料を収容し、分析するための流体分析装置であって、前記流体分析装置が、
互いに流体連通する第１及び第２の別個の部分を有し、前記第１及び第２の部分が、それぞれの第１及び第２の端部を有し、前記第１及び第２の部分のそれぞれの第１の端部が互いに隣接して間隔を置いて互いに向き合う関係で配置され、前記第１の部分が放射エネルギー入口ボアを有し、前記第２の部分が前記放射エネルギー入口ボアと軸線方向に位置合わせされた流体試料分析室を備えるセル本体組立体と、
液圧的な密封をその間にもたらす目的で、前記第１と第２の部分のそれぞれの第１の端部の間に挿入された第１の弾性的なガスケットであって、前記第１の弾性的なガスケットが、前記第１の部分の前記放射エネルギー入口ボア及び前記第２の部分の前記流体試料分析室と位置合わせされた前記第１の放射エネルギー孔を備え、放射エネルギー及び前記流体試料が、第１の放射エネルギー孔の長さ及び内径によって画定される移動領域内に同時に配置され、前記第１の放射エネルギー孔の前記長さが、前記第１の弾性的なガスケットの所定の厚さ寸法によって画定され、前記セル本体組立体全体の放射エネルギー損失が別個の屈折率を有する様々な流体試料の間で標準化されるように、前記厚さ寸法が較正される第１の弾性的なガスケットとを備える流体分析装置。
【請求項２１】
流体試料を収容し、分析するための流体分析装置に放射エネルギー伝達部材を実装する方法であって、前記方法が、
（ａ）少なくとも部分的にそこを通って延びる開放ボアを有するセル本体組立体を提供する工程であって、前記開放ボアが第１及び第２の両側の開放端部を有する工程と、
（ｂ）前記放射エネルギー伝達部材の外径と実質的に等しい内径、及び前記開放ボアの第１の直径寸法よりもわずかに大きい、応力を加えられていない外径を有する圧縮性の中空のフェルールを提供する工程と、
（ｃ）前記フェルールを前記放射エネルギー伝達部材の第１の端部の周りに装着する工程と、
（ｄ）前記放射エネルギー伝達部材の第２の端部を前記フェルールがその中に係合される程度に前記開放ボアの前記第１の端部に挿入する工程であって、前記フェルールをそのように挿入することによって、前記フェルールが前記放射エネルギー伝達部材の周りで径方向に内側に圧縮され、それによって前記放射エネルギー伝達部材を前記開放ボア内に摩擦的に係合し、固定する工程とを含む方法。